【手続補正書】
【提出日】平成21年6月24日(2009.6.24)
【手続補正１】
【補正対象書類名】特許請求の範囲
【補正対象項目名】全文
【補正方法】変更
【補正の内容】
【特許請求の範囲】
【請求項１】
シートに印刷処理を行う印刷装置と、前記印刷装置により印刷処理が行われたシートの断裁処理を行うシート処理装置とを有する印刷システムであって、
前記印刷装置は、
画像データを入力する入力手段と、
前記入力手段により入力された画像データから所定領域の画像データを抽出する抽出手段と、
前記抽出手段により抽出された前記所定領域の画像データを展開して印刷用の画像データを生成する生成手段と、
前記生成手段により生成された印刷用の画像データに基づいてシートに印刷処理を行う印刷手段と、
前記印刷手段により印刷処理が行われたシートを前記シート処理装置に断裁処理させるか否かを設定する設定手段と、
前記設定手段により前記シート処理装置に断裁処理させると設定された場合に、前記印刷手段により印刷処理が行われたシートを前記シート処理装置へ搬送する搬送手段とを有し、
前記シート処理装置は、
前記印刷手段により前記印刷処理が行われたシートを前記シート処理装置に断裁処理させると前記設定手段により設定された場合に、前記印刷処理が行われたシートを断裁処理する断裁手段を有し、
前記生成手段は、前記設定手段により前記印刷処理が行われたシートを前記シート処理装置に断裁処理させると設定された場合の前記所定領域のサイズを、前記印刷処理が行われたシートを前記シート処理装置に断裁処理させると設定されなかった場合の前記所定領域のサイズよりも小さくすることを特徴とする印刷システム。
【請求項２】
前記印刷処理が行われたシートを前記シート処理装置に断裁処理させると設定された場合の前記所定領域のサイズは、前記シート処理装置による断裁処理により断裁された後の仕上がりサイズに断裁処理における断裁位置の誤差を考慮したマージンを加えたサイズであることを特徴とする請求項１に記載の印刷システム。
【請求項３】
前記入力された画像データには、前記断裁処理後のシートの仕上がりサイズを規定するためのオブジェクトが含まれており、
前記印刷処理が行われたシートを前記シート処理装置に断裁処理させると設定されなかった場合の前記所定領域には前記オブジェクトが含まれており、前記印刷処理が行われたシートを前記シート処理装置に断裁処理させると設定されなかった場合の前記所定領域には前記オブジェクトが含まれていないことを特徴とする請求項１又は２に記載の印刷システム。
【請求項４】
前記印刷手段は、前記断裁処理により断裁されるシートの辺の数に応じて、前記生成手段により生成された前記印刷用の画像データの前記シートへの印刷位置を調整することを特徴とする請求項１乃至３のいずれか１項に記載の印刷システム。
【請求項５】
シートに印刷処理を行い、該印刷処理が行われたシートを、断裁処理を行うシート処理装置に搬送可能な印刷装置であって、
画像データを入力する入力手段と、
前記入力手段により入力された画像データから所定領域の画像データを抽出する抽出手段と、
前記抽出手段により抽出された前記所定領域の画像データを展開して印刷用の画像データを生成する生成手段と、
前記生成手段により生成された印刷用の画像データに基づいてシートに印刷処理を行う印刷手段と、
前記印刷手段により印刷処理が行われたシートを、前記シート処理装置に断裁処理させるか否かを設定する設定手段と
を有し、
前記生成手段は、前記設定手段により前記印刷処理が行われたシートを前記シート処理装置に断裁処理させると設定された場合の前記所定領域のサイズを、前記印刷処理が行われたシートを前記シート処理装置に断裁処理させると設定されなかった場合の前記所定領域のサイズよりも小さくすることを特徴とする印刷装置。
【請求項６】
前記印刷処理が行われたシートを前記シート処理装置に断裁処理させると設定された場合の前記所定領域のサイズは、前記シート処理装置による断裁処理により断裁された後の仕上がりサイズに断裁処理における断裁位置の誤差を考慮したマージンを加えたサイズであることを特徴とする請求項５に記載の印刷装置。
【請求項７】
前記入力された画像データには、前記断裁処理後のシートの仕上がりサイズを規定するためのオブジェクトが含まれており、
前記印刷処理が行われたシートを前記シート処理装置に断裁処理させると設定されなかった場合の前記所定領域には前記オブジェクトが含まれており、前記印刷処理が行われたシートを前記シート処理装置に断裁処理させると設定されなかった場合の前記所定領域には前記オブジェクトが含まれていないことを特徴とする請求項５又は６に記載の印刷装置。
【請求項８】
前記印刷手段は、前記断裁処理により断裁されるシートの辺の数に応じて、前記生成手段により生成された前記印刷用の画像データの前記シートへの印刷位置を調整することを特徴とする請求項５乃至７のいずれか１項に記載の印刷装置。
【請求項９】
シートに印刷処理を行う印刷装置における印刷方法であって、
画像データを入力する入力工程と、
前記入力工程にて入力された画像データから所定領域の画像データを抽出する抽出工程と、
前記抽出工程にて抽出された前記所定領域の画像データを展開して印刷用の画像データを生成する生成工程と、
前記生成工程にて生成された印刷用の画像データに基づいてシートに印刷処理を行う印刷工程と、
前記印刷工程にて印刷処理が行われたシートを前記印刷装置により印刷処理が行われたシートの断裁処理を行うシート処理装置に断裁処理させるか否かを設定する設定工程と、
前記設定工程にて前記シート処理装置に断裁処理させると設定された場合に、前記印刷工程にて印刷処理が行われたシートを前記シート処理装置へ搬送する搬送工程とを有し、
前記生成工程は、前記設定工程にて前記印刷処理が行われたシートを前記シート処理装置に断裁処理させると設定された場合の前記所定領域のサイズを、前記印刷処理が行われたシートを前記シート処理装置に断裁処理させると設定されなかった場合の前記所定領域のサイズよりも小さくすることを特徴とする印刷方法。
【手続補正２】
【補正対象書類名】明細書
【補正対象項目名】発明の名称
【補正方法】変更
【補正の内容】
【発明の名称】印刷システム、印刷装置、及び印刷方法
【手続補正３】
【補正対象書類名】明細書
【補正対象項目名】０００１
【補正方法】変更
【補正の内容】
【０００１】
本発明は、複数のジョブを受付け可能な印刷システム、印刷装置、及び印刷方法に関するものである。
【手続補正４】
【補正対象書類名】明細書
【補正対象項目名】００１０
【補正方法】変更
【補正の内容】
【００１０】
本発明は、例えば、シートに印刷処理を行う印刷装置と、前記印刷装置により印刷処理が行われたシートの断裁処理を行うシート処理装置とを有する印刷システムに関する。前記印刷装置は、画像データを入力する入力手段と、前記入力手段により入力された画像データから所定領域の画像データを抽出する抽出手段と、前記抽出手段により抽出された前記所定領域の画像データを展開して印刷用の画像データを生成する生成手段と、前記生成手段により生成された印刷用の画像データに基づいてシートに印刷処理を行う印刷手段と、前記印刷手段により印刷処理が行われたシートを前記シート処理装置に断裁処理させるか否かを設定する設定手段と、前記設定手段により前記シート処理装置に断裁処理させると設定された場合に、前記印刷手段により印刷処理が行われたシートを前記シート処理装置へ搬送する搬送手段とを有し、前記シート処理装置は、前記印刷手段により前記印刷処理が行われたシートを前記シート処理装置に断裁処理させると前記設定手段により設定された場合に、前記印刷処理が行われたシートを断裁処理する断裁手段を有し、前記生成手段は、前記設定手段により前記印刷処理が行われたシートを前記シート処理装置に断裁処理させると設定された場合の前記所定領域のサイズを、前記印刷処理が行われたシートを前記シート処理装置に断裁処理させると設定されなかった場合の前記所定領域のサイズよりも小さくすることを特徴とする。
【手続補正５】
【補正対象書類名】明細書
【補正対象項目名】００１１
【補正方法】変更
【補正の内容】
【００１１】
本発明の他の形態によれば、シートに印刷処理を行い、該印刷処理が行われたシートを、断裁処理を行うシート処理装置に搬送可能な印刷装置に関する。印刷装置は、画像データを入力する入力手段と、前記入力手段により入力された画像データから所定領域の画像データを抽出する抽出手段と、前記抽出手段により抽出された前記所定領域の画像データを展開して印刷用の画像データを生成する生成手段と、前記生成手段により生成された印刷用の画像データに基づいてシートに印刷処理を行う印刷手段と、前記印刷手段により印刷処理が行われたシートを、前記シート処理装置に断裁処理させるか否かを設定する設定手段とを有し、前記生成手段は、前記設定手段により前記印刷処理が行われたシートを前記シート処理装置に断裁処理させると設定された場合の前記所定領域のサイズを、前記印刷処理が行われたシートを前記シート処理装置に断裁処理させると設定されなかった場合の前記所定領域のサイズよりも小さくすることを特徴とする。
【手続補正６】
【補正対象書類名】明細書
【補正対象項目名】００１２
【補正方法】変更
【補正の内容】
【００１２】
本発明の他の形態によれば、シートに印刷処理を行う印刷装置における印刷方法に関する。印刷方法は、画像データを入力する入力工程と、前記入力工程にて入力された画像データから所定領域の画像データを抽出する抽出工程と、前記抽出工程にて抽出された前記所定領域の画像データを展開して印刷用の画像データを生成する生成工程と、前記生成工程にて生成された印刷用の画像データに基づいてシートに印刷処理を行う印刷工程と、前記印刷工程にて印刷処理が行われたシートを前記印刷装置により印刷処理が行われたシートの断裁処理を行うシート処理装置に断裁処理させるか否かを設定する設定工程と、前記設定工程にて前記シート処理装置に断裁処理させると設定された場合に、前記印刷工程にて印刷処理が行われたシートを前記シート処理装置へ搬送する搬送工程とを有し、前記生成工程は、前記設定工程にて前記印刷処理が行われたシートを前記シート処理装置に断裁処理させると設定された場合の前記所定領域のサイズを、前記印刷処理が行われたシートを前記シート処理装置に断裁処理させると設定されなかった場合の前記所定領域のサイズよりも小さくすることを特徴とする。